(57)【要約】    【課題】種々の高さを有する植木鉢等の高さに対応して、この植木鉢等が植物スタンドに収容され得る植物スタンド用ストッパー、及び該植物スタンド用ストッパーと植物スタンドとの組み合わせの提供。    【解決手段】植物スタンド１は木製であり、中空の逆四角錐台状を有しており、底部に向かうに従って漸次的に幅狭になるように構成されている。植物スタンド用ストッパー２は、金属製の線材を網目状にしてなり、逆四角錐台状を有する。植物スタンド用ストッパー２は、その幅が植物スタンド１の内壁の幅と一致する部分で、植物スタンド１の内壁に抑止され、その上に植物を入れる容器が載置される。【選択図】図１
2007020933.tif 000002
【特許請求の範囲】
【請求項１】
底部に向かうに従って漸次的に幅狭になるように構成されており、
植物を入れる容器を収容する植物スタンドに差し入れられて、その幅が、上記植物スタンドの内壁の幅と一致する位置で抑止され、その上に、上記容器が載置されるように構成されている植物スタンド用ストッパー。
【請求項２】
板状である請求項１に記載の植物スタンド用ストッパー。
【請求項３】
線材を網目状にしてなる請求項１に記載の植物スタンド用ストッパー。
【請求項４】
請求項１から３のいずれかに記載の植物スタンド用ストッパーと、
底部に向かうに従って漸次的に幅狭になるように構成されている植物スタンドと
の組み合わせ。
【請求項５】
上記植物スタンド用ストッパーを２以上備える請求項４に記載の組み合わせ。
【請求項６】
上記植物スタンドが、中空の逆円錐台状又は逆角錐台状であり、
上記植物スタンド用ストッパーが、上記植物スタンドの形状に対応した、中空又は中実の、逆円錐台状又は逆角錐台状をなす請求項４又は５に記載の組み合わせ。
【発明の詳細な説明】
【技術分野】
【０００１】
本発明は、植木鉢、花器及びフラワーアレンジメント等の植物を入れる容器を収容する植物スタンドに差し入れられて、該植物スタンドの中途部で止まり、上記容器が載置されるように構成されている植物スタンド用ストッパー、及び該植物スタンド用ストッパーと植物スタンドとの組み合わせに関する。
【背景技術】
【０００２】
植物スタンドには、植木鉢、花器、フラワーアレンジメント用容器等が収容される。この植物スタンドは、グリーン（すなわち植物）と共に、インテリアのトータルデザインにおいて大きな地位を占めるに至っている。特に近年、背の高い植物スタンドが賞用されている。デザイン的に洗練されていること、そして、つた（アイビー）のように下方に向けて垂れ下がる植物に適していることが、背の高い植物スタンドが普及しつつある理由である。従来、つたが植えられた鉢カバーは吊り下げられることが多かったが、背の高い植物スタンドが用いられれば、つたの床置きが可能である。背の高い植物スタンドは、近年の住宅事情にも適合している。
【０００３】
背の低い鉢が収容される場合が考慮されてその内部にストッパー（桟）が設けられた植物スタンドが、用いられている。このストッパーは、格子状、網状等の形状を有する。このスタンドでは、鉢はストッパーの上に置かれる。このスタンドでは、いわゆる「上げ底」の状態が達成される。スタンドの背が高く、鉢の背が低い場合でも、植物がスタンドに隠れてしまうことがない。ストッパーは、植物スタンドの内壁に固定されている。
【発明の開示】
【発明が解決しようとする課題】
【０００４】
しかし、上記した植物スタンドに、高さが高い植木鉢等を収容する場合、上記ストッパーがあるので、この植木鉢全体が植物スタンド内に収容され得ないという問題がある。また、ストッパーが固定されているので、植木鉢等の高さに対応させて、ストッパーの位置を変えることが出来ないという問題がある。そして、ストッパーの取り外しが出来ないので、一の植物スタンドの底部まで他の植物スタンドを差し入れ、植物スタンドを複数、重ねて運搬したり、保管することが出来ず、スペース効率が悪いという問題がある。
【０００５】
本発明の目的は、種々の高さを有する植木鉢等の高さに対応して、この植木鉢等が植物スタンドに収容され得る植物スタンド用ストッパー、及び該植物スタンド用ストッパーと植物スタンドとの組み合わせの提供にある。
【課題を解決するための手段】
【０００６】
本発明に係る植物スタンド用ストッパーは、
底部に向かうに従って漸次的に幅狭になるように構成されており、
植物を入れる容器を収容する植物スタンドに差し入れられて、その幅が、上記植物スタンドの内壁の幅と一致する位置で抑止され、その上に、上記容器が載置されるように構成されている。
【０００７】
本発明の植物スタンド用ストッパーは、好ましくは、板状である。
【０００８】
本発明の植物スタンド用ストッパーは、好ましくは、線材を網目状にしてなる。
【０００９】
本発明に係る組み合わせは、
（１）上記いずれかの植物スタンド用ストッパー、
及び
（２）底部に向かうに従って漸次的に幅狭になるように構成されている植物スタンド
を備える。
【００１０】
好ましくは、本発明に係る組み合わせが、上記植物スタンド用ストッパーを２以上備える。
【００１１】
好ましくは、本発明に係る組み合わせが、上記植物スタンドが、中空の逆円錐台状又は逆角錐台状であり、上記植物スタンド用ストッパーが、上記植物スタンドの形状に対応した、中空又は中実の、逆円錐台状又は逆角錐台状をなす。ここで、「中空の逆円錐台状」とは、円錐を底面に平行な平面で切り、頂点を含む部分を除いた立体を逆向きにして、中空にした形状をいう。「中空の逆角錐台状」とは、角錐を底面に平行な平面で切り、頂点を含む部分を除いた立体を逆向きにして、中空にした形状をいう。
【発明の効果】
【００１２】
本発明の植物スタンド用ストッパーによれば、これが植物スタンドに差し入れられて植物スタンドの中途部で固定された場合とそうでない場合とで、高さが異なる植木鉢等に対応出来る。植物スタンド用ストッパーが板状である場合は、植木鉢等が重くても、安定的に植木鉢等が載置される。植物スタンド用ストッパーが、線材を網目状にしてなる場合は、網目部分を持って、このストッパーを容易に引き出すことが出来る。また、ストッパーが取り外された状態の植物スタンドにおいては、その植物スタンドの底部まで他の植物スタンドを差し入れ、植物スタンドを複数、重ねて運搬したり、保管することが出来る。
【００１３】
植物スタンドに、植物スタンド用ストッパーが２以上、組み合わされる場合は、さらに高さが異なる植木鉢等に対応出来る。植物スタンドが逆円錐台又は逆角錐台状であり、植物スタンド用ストッパーが、植物スタンドの形状に対応した逆円錐台状又は逆角錐台状をなす場合は、植木鉢等が重い場合においても、これらが安定的に植物スタンド用ストッパー上に載置され得る。
【発明を実施するための最良の形態】
【００１４】
以下、適宜図面が参照されつつ、好ましい実施形態に基づいて本発明が詳細に説明される。
【００１５】
図１は、本発明の一実施形態に係る植物スタンド１及び植物スタンド用ストッパー２（以下、ストッパー２という）が示された斜視図であり、図２は、図１の植物スタンド１及びストッパー２の平面図、図３は、図１の植物スタンド１及びストッパー２の縦断面図である。植物スタンド１は木製であり、四角錐を底面に平行な平面で切り、頂点を含む部分を除いた立体を逆向きにして、中空にした逆四角錐台状を有しており、底部に向かうに従って漸次的に幅狭になるように構成されている。すなわち、開口部１ａが最大幅を有する。この植物スタンド１には、植木鉢、花器及びフラワーアレンジメント等の植物を入れる容器が収容される。なお、植物スタンド１は、ブリキ等の金属製又はプラスチック製でもよく、また、籐、竹、蔓等の編み製品であってもよい。
【００１６】
図４は、ストッパー２が示された拡大斜視図、図５は、図４のストッパー２の拡大平面図である。ストッパー２は、金属製の線材を網目状にしてなり、逆四角錐台状を有する。ストッパー２は、その幅が植物スタンド１の内壁の幅と一致する部分で、植物スタンド１の内壁に抑止されている。ストッパー２の側面の傾斜角度を変えることで、抑止位置は随意に変えられる。ストッパー２は、木製又はプラスチック製でもよい。
【００１７】
図６は、植物スタンド１の中途部でストッパー２が固定され、ストッパー２の上に、植木鉢３が載置された状態が示された縦断面図である。植木鉢３は、その高さに対応する適切な位置に、ストッパー２によって固定されている。これにより、植木鉢３に植えられたつた４の蔓が植物スタンド１の開口部１ａから垂れ下がり、蔓が伸びやすい状態になっている。
【００１８】
上記したように、植物スタンド１に収容する植木鉢等の高さが低い場合は、ストッパー２が植物スタンド１に差し入れられて固定され、このストッパー２の幅広面の上に植木鉢等が載置される。また、植物スタンド１に収容する植木鉢等の高さが高い場合は、ストッパー２が使用されずに、植木鉢等が植物スタンド１の底部まで差し入れられて、収容される。この植物スタンド１とストッパー２との組み合わせによれば、高さが異なる植木鉢等に対応出来る。そして、ストッパー２は植木鉢等を載置する場合に限定されず、網目状であるので、この網目により、花を離隔させて花を植物スタンド１に活けることにしてもよい。また、造花及びドライフラワーを活ける場合に限定されず、植物スタンド１の底部に、水を入れた容器を収容する等して、生花を活けることにしてもよい。さらに、ストッパー２が取り外された状態の植物スタンド１においては、その植物スタンドの底部まで他の植物スタンドを差し入れ、植物スタンドを複数、重ねて運搬したり、保管することが出来る。
【００１９】
なお、上記実施形態においては、ストッパー２が、線材を網目状にしてなり、上面及び下面を有する場合につき説明しているがこれに限定されるものではなく、上部が開口した角鉢状を有し、その底面に植木鉢等が載置されるものであってもよい。また、ストッパー２は木製板状で、逆角錐台状を有するものであってもよい。このストッパー２は、中実であるので、植木鉢等が重い場合でも安定的に載置され得る。
【００２０】
図７は、その断面が上記ストッパー２の相似形で、より幅広であり、植物スタンド１のより上側に配される植物スタンド用ストッパー５（以下、ストッパー５という）が植物スタンド１に止められた状態が示された縦断面図である。このストッパー５が組み合わせに加えられることにより、さらに高さが低い植木鉢等を適切な位置で固定することが出来、種々の高さが異なる植木鉢等に対応出来る。ストッパーは、さらに複数種類、備えられ得る。
【００２１】
前述した、図１の植物スタンド１及びストッパー２、並びにストッパー５においては、これらが逆四角錐台状を有する場合につき説明したがこれに限定されるものではなく、本発明の植物スタンドは、逆円錐台状、又は、他の角錐台を逆向きにしたものであってもよい。この場合、植物スタンド用ストッパーは、植物スタンドの内壁の所定位置で抑止される形状とされる。
【産業上の利用可能性】
【００２２】
本発明は、植木鉢、花器及びフラワーアレンジメント等の植物を入れる容器を収容する植物スタンドに適用され得る。
【図面の簡単な説明】
【００２３】
【図１】図１は、本発明の一実施形態に係る植物スタンド及び植物スタンド用ストッパーが示された斜視図である。
【図２】図２は、図１の植物スタンド及び植物スタンド用ストッパーが示された平面図である。
【図３】図３は、図１の植物スタンド及び植物スタンド用ストッパーの縦断面図である。
【図４】図４は、図１の植物スタンド用ストッパーの拡大斜視図である。
【図５】図５は、図１の植物スタンド用ストッパーの拡大平面図である。
【図６】図６は、植物スタンド用ストッパーの上に、植木鉢が載置された状態が示された縦断面図である。
【図７】図７は、植物スタンドのより上側に配される他の植物スタンド用ストッパーが植物スタンドの内壁に抑止された状態が示された縦断面図である。
【符号の説明】
【００２４】
１・・・植物スタンド
１ａ・・・開口部
２・・・植物スタンド用ストッパー
３・・・植木鉢
４・・・つた
５・・・植物スタンド用ストッパー
【図１】
2007020933.tif 000003
【図２】
2007020933.tif 000004
【図３】
2007020933.tif 000005
【図４】
2007020933.tif 000006
【図５】
2007020933.tif 000007
【図６】
2007020933.tif 000008
【図７】
2007020933.tif 000009